(57)【要約】【課題】  ある属性を評価する際に、その属性のどの点に着目して評価したかを知ることが可能な着眼点抽出装置を提供する。【解決手段】  キーワードが指定されると、記事データ取得手段３０は、指定されたキーワードを含む記事データを記事データ記憶手段１０から抽出する。着眼ワード取得手段４０は、着眼ワード記憶手段６０に記憶された着眼ワードが、抽出された記事データに存在するかどうかを確認し、存在する場合には、その着眼ワードを取得する。着眼文作成手段５０は、抽出した記事データにおける着眼ワードの係り受け情報を利用して、着眼ワードを含む着眼文を作成する。【選択図】  図１
2009193436.tif 000002
【特許請求の範囲】
【請求項１】
記事データを記憶した記事データ記憶手段と、
着眼ワードを記憶した着眼ワード記憶手段と、
指定されたキーワードで前記記事データ記憶手段を検索し、当該キーワードを含む記事データを取得する記事データ取得手段と、
前記取得した記事データ中に存在する着眼ワードを、前記着眼ワード記憶手段を参照して取得する着眼ワード取得手段と、
前記着眼ワードを含む記事データ中の文を構文解析して、着眼ワードに関する係り受け情報を得て、当該係り受け情報を利用して着眼文を作成する着眼文作成手段と、
を有することを特徴とする着眼点抽出装置。
【請求項２】
コンピュータを、請求項１に記載の着眼点抽出装置として機能させるためのプログラム。
【発明の詳細な説明】
【技術分野】
【０００１】
本発明は、指定されたキーワードに関する記事の着眼点を抽出するための技術に関する。
【背景技術】
【０００２】
近年、インターネット上では、様々なサービスが提供されている。その１つとして、商品やサービスその他の様々な事物に関して、一般の利用者による評価情報を提供するサイトが存在する。このような評価サイトでは、商品名などを入力すると、その商品に関する一般利用者による評価情報が表示される。このため、評価サイトを利用すると、商品の販売者寄りの情報ではなく、その商品を実際に利用した利用者の評価を知ることができるという利点がある。また、このような評価サイト等に寄せられた意見を解析して、評価情報を表示する技術も提案されている（例えば、特許文献１参照）。
【特許文献１】特開２００７−１１５１１８号公報
【発明の開示】
【発明が解決しようとする課題】
【０００３】
しかしながら、特許文献１に記載の技術では、評価される属性表現と、その属性表現に対応する評価表現の組み合わせとして評価情報を抽出するため、属性表現のどのような点に着目して評価したかという情報が得られないという問題がある。これは、属性表現が抽象的な用語である場合に、特に顕著である。
【０００４】
そこで、本発明は、ある属性を評価する際に、その属性のどの点に着目して評価したかを知ることが可能な着眼点抽出装置を提供することを課題とする。
【課題を解決するための手段】
【０００５】
上記課題を解決するため、本発明では、記事データを記憶した記事データ記憶手段と、着眼ワードを記憶した着眼ワード記憶手段と、指定されたキーワードで前記記事データ記憶手段を検索し、当該キーワードを含む記事データを取得する記事データ取得手段と、前記取得した記事データ中に存在する着眼ワードを、前記着眼ワード記憶手段を参照して取得する着眼ワード取得手段と、前記着眼ワードを含む記事データ中の文を構文解析して、着眼ワードに関する係り受け情報を得て、当該係り受け情報を利用して着眼文を作成する着眼文作成手段を有する着眼点抽出装置を提供する。
【０００６】
本発明によれば、指定されたキーワードに関する記事データから属性表現と評価表現を抽出するだけでなく、属性表現である着眼ワードの係り受け情報を利用して、着眼文を作成するようにしたので、ある属性を評価する際に、その属性のどの点に着目して評価したかを知ることが可能となる。
【発明の効果】
【０００７】
本発明によれば、ある属性を評価する際に、その属性のどの点に着目して評価したかを知ることが可能となるという効果を奏する。
【発明を実施するための最良の形態】
【０００８】
（１．装置構成）
以下、本発明の好適な実施形態について図面を参照して詳細に説明する。図１は、本発明に係る着眼点抽出装置の一実施形態における構成図である。図１において、１０は記事データ記憶手段、２０はキーワード指定手段、３０は記事データ取得手段、４０は着眼ワード取得手段、５０は着眼文作成手段、６０は着眼ワード記憶手段である。
【０００９】
記事データ記憶手段１０は、テキスト形式の記事データと、記事データを特定するための記事ＩＤを対応付けて記憶したものである。着眼ワード記憶手段６０は、特に着眼すべき用語である着眼ワードを記憶したものである。キーワード指定手段２０は、評価対象である事物をキーワードとして指定するものであり、キーボードやマウス等の指示入力機器と連携し、入力されたキーワードを記事データ取得手段に渡す。
【００１０】
記事データ取得手段３０は、キーワード指定手段２０により指定されたキーワードを用いて、記事データ記憶手段１０内の記事データを全文検索し、指定されたキーワードを含む記事データを抽出する。着眼ワード取得手段４０は、記事データ取得手段３０により抽出された記事データの中から、着眼ワード記憶手段６０に記憶された着眼ワードと同一のものを抽出する。着眼文作成手段５０は、着眼ワード取得手段４０により取得された着眼ワードを用いて、その着眼ワードが存在した記事データ内の語から着眼文を作成する。図１に示した着眼点抽出装置は、現実には、コンピュータに専用のプログラムを組み込むことにより実現される。また、記事データ記憶手段１０、着眼ワード記憶手段６０は、コンピュータに内蔵または接続された記憶装置により実現される。
【００１１】
（２．処理動作）
次に、図１に示した着眼点抽出装置１００の処理動作について説明する。まず、利用者が、評価対象とする事物を特定するキーワードを、キーワード指定手段２０により指定する。記事データ取得手段３０は、キーワード指定手段２０により指定されたキーワードで、記事データ記憶手段１０内の記事データを全文検索し、指定されたキーワードを含む記事データを取得する。
【００１２】
次に、着眼ワード取得手段４０が、記事データ取得手段３０により取得された記事データ内から着眼ワードを取得する。具体的には、着眼ワード記憶手段６０に記憶された着眼ワードのいずれかが、記事データ内に存在する場合に、その着眼ワードを取得する。
【００１３】
次に、着眼文作成手段５０が、着眼ワード取得手段４０により取得された着眼ワードに関する着眼文を作成する。具体的には、まず、着眼ワードが存在した記事データにおいて、着眼ワードが存在する文の構文解析を行い、係り受け情報を得る。図２は、係り受け情報および構文解析結果を示す図である。図２（ａ）に示すような例文の構文解析を行うと、図２（ｂ）に示すような係り受け情報が得られる。図２（ｂ）に示すように、「渡した」には「太郎が」「ボールを」「三郎に」が係っており、「ボールを」には「次郎の」が係っている。このような係り受け情報を求めるための構文解析手法自体は公知のものであり、図２（ｃ）に示すようなＸＭＬ形式のデータとして取得することができる。図２（ｃ）の“chunk”は、構文解析した結果の係り受けの単位をタグで囲ってＩｄを付与したものである。“chunk”が係り受けの単位で、“link”が係り先の“chunk”のＩＤである。着眼文作成手段５０は、係り受け情報を得た後、これを利用し、着眼ワードに係る修飾語、および着眼ワードを含む文を着眼文として作成する。
【００１４】
以上の処理を具体的な例を用いて説明する。例えば、キーワードとして「映画」を指定した際における、図３（ａ）に示したような記事データについて考えてみる。図３（ａ）に示した記事データは、複数の文により構成されており、その内の一つの文には、「映画」という語が含まれているため、キーワード指定手段２０によりキーワード 「映画」が指定されると、記事データ取得手段３０により取得される。
【００１５】
続いて、着眼ワード取得手段４０が、図３（ａ）に示した記事データから着眼ワードを取得する。着眼ワード記憶手段６０に着眼ワードとして「シーン」が記憶されていた場合、記事データから「シーン」が取得される。
【００１６】
次に、着眼文作成手段５０が、着眼ワード取得手段４０により取得された着眼ワード「シーン」に関する着眼文を作成する。この際、記事データ中において、着眼ワードを含む文の構文解析を行い、ＸＭＬ形式の解析結果から係り受け情報を得る。図３（ａ）の例では、まず、「シーン」に係っている語を抽出する。この場合、「シーン」に係っている語は「送り出す」であるので、「送り出す」を取得する。さらに、この「送り出す」に係っている語を遡って取得する。その結果、「初めは」→「敵意剥き出しだった」→「観衆が、」→「送り出す」、「声援を」→「送り出す」、「主人公の」→「ファイトに」→「感動し、」→「送り出す」の３つの係り受け関係が取得される。
【００１７】
続いて、着眼文作成手段５０は、取得した係り受け関係において出現した語を、記事データに登場している順に並び替え、結合して、着眼文を作成する。この結果、図３（ｂ）に示すような着眼文が得られる。以上のような処理により、着眼文が得られるため、１つのキーワードを指定した場合であっても、多数の着眼文が作成されることもある。
【００１８】
（３．実用例）
本発明に係る着眼点抽出装置は、単体のコンピュータとして実現することも可能であるが、インターネット等のコンピュータネットワークを用いて実現することも可能である。具体的な実用例としては、ブログを公開するブログサイトに、ブログを閲覧するためにアクセスした利用者が、あるキーワードで記事データを検索した際に、そのキーワードが含まれる記事データから着眼文を作成するものがある。この場合、ブログサイトを開設したサーバコンピュータに、本発明に係る着眼点抽出装置の機能を搭載しておく。具体的には、ブログサイトを開設したサーバコンピュータに、着眼点抽出装置としてサーバコンピュータを機能させるためのプログラムを組み込んでおく。
【００１９】
ブログサイトに適用する場合、ネットワークを介して利用者から送信されてきたキーワードは、キーワード指定手段２０が受け取り、以降、上述のような処理が行われ、着眼文作成手段５０により着眼文が作成される。作成された着眼文は、ブログサイトが持つＷｅｂサーバ機能により、ＨＴＭＬのＷｅｂページに組み込まれ、利用者端末に送信される。
【００２０】
着眼文が複数作成された場合には、複数の着眼文が配置されたＷｅｂページが作成され、利用者端末に表示される。利用者端末に表示された着眼文表示画面の一例を図４に示す。図４の例では、７つの着眼文が表示されているが、各着眼文には、記事データへのリンクが張られており、いずれかの着眼文がクリックされると、利用者端末は、対応する記事データをブログサイトに要求する。そして、記事データの要求を受けたサーバコンピュータは、要求された記事データを記事データ記憶手段１０から抽出し、利用者端末に送信する。
【図面の簡単な説明】
【００２１】
【図１】本発明に係る着眼点抽出装置の一実施形態における構成図である。
【図２】係り受け情報および構文解析結果を示す図である。
【図３】利用者端末に表示された着眼文表示画面の一例を示す図である。
【図４】記事データ記憶手段１０に記憶された記事データ、および記事データから作成された着眼文の一例を示す図である。
【符号の説明】
【００２２】
１０・・・記事データ記憶手段
２０・・・キーワード指定手段
３０・・・記事データ取得手段
４０・・・着眼ワード取得手段
５０・・・着眼文作成手段
６０・・・着眼ワード記憶手段
１００・・・着眼点抽出装置
【図１】
2009193436.tif 000003
【図２】
2009193436.tif 000004
【図３】
2009193436.tif 000005
【図４】
2009193436.tif 000006